(57)【特許請求の範囲】
【請求項１】
２つのリング形ネットワークが関門ノードを介して接続されており、一方のリング形ネットワークから他方のリング形ネットワークに属する終端ノードへパスが設定され、前記関門ノードから前記終端ノードへ現用パス及び予備パスがそれぞれ逆回りに設定され、上記終端ノードが前記現用パス及び予備パスからどちらか１系統のみ選択するような複合リング形ネットワークシステムにおいて、前記現用パス及び予備パスの障害をそれぞれ独立に障害情報として検出し、前記現用パス及び予備パスのうち選択されているパスの障害情報か選択されていないパスの障害情報かに応じて、選択されているパスの障害情報に対しては障害の検出時間をある一定時間遅らせるように、また、選択されていないパスの障害情報に対しては障害の回復時間をある一定時間遅らせるように、それぞれ、保護をとり、保護をとった結果の障害情報により前記現用パス及び予備パスのうちからいずれか一方を選択することを特徴とする複合リング形ネットワークシステムにおけるパス切替方法。
【請求項２】
２つのリング形ネットワークが関門ノードを介して接続されており、一方のリング形ネットワークから他方のリング形ネットワークに属する終端ノードへパスが設定され、前記関門ノードから前記終端ノードへ現用パス及び予備パスがそれぞれ逆回りに設定され、上記終端ノードが前記現用パス及び予備パスからどちらか１系統のみ選択するような複合リング形ネットワークシステムにおいて、前記終端ノードとなりうる、他方のリング形ネットワークに属する各ノード対応に、前記現用パス及び予備パスの障害をそれぞれ独立に障害情報として検出する障害情報検出手段と、前記現用パス及び予備パスのうち選択されているパスの障害情報か選択されていないパスの障害情報かに応じて、選択されているパスの障害情報に対しては障害の検出時間をある一定時間遅らせるように、また、選択されていないパスの障害情報に対しては障害の回復時間をある一定時間遅らせるように、それぞれ、保護をとる保護手段と、上記保護手段により保護をとった結果の障害情報により前記現用パス及び予備パスのうちからいずれか一方を選択するパス選択手段とを設けたことを特徴とする複合リング形ネットワークシステムにおけるパス切替装置。
【請求項３】
ＵＳＰＲのリング形ネットワークの現用パスと予備パスの切替えを行う、前記リング形ネットワークに接続されたノードのパス切替装置において、
現用パスの障害を検出し、第１の障害情報を出力する第１の障害検出部と、
予備パスの障害を検出し、第２の障害情報を出力する第２の障害検出部と、
前記第１の障害検出部と接続され、前記現用パスが選択系となっている場合には前記第１の障害情報を、前記現用パスが非選択系となっている場合には前記第１の障害情報の回復を示す情報を、それぞれあらかじめ定められた時間が経過した後に出力する第１の保護タイマーと、
前記第２の障害検出部と接続され、前記予備パスが選択系となっている場合には前記第２の障害情報を、前記予備パスが非選択系となっている場合には前記第２の障害情報の回復を示す情報を、それぞれあらかじめ定められた時間が経過した後に出力する第２の保護タイマーと、
前記第１の保護タイマーにより出力される障害情報と前記第２の保護タイマーより出力される障害情報に応じて、前記現用パスまたは前記予備パスのいずれかを選択系として選択する切替制御部と、
前記切替制御部の選択に応じて前記現用パスまたは前記予備パスのいずれかを選択系としてパスの切替えを行うパス切替部とを有することを特徴とするパス切替装置。
【発明の詳細な説明】
【０００１】
【発明の属する技術分野】
本発明はＵＰＳＲを含む複合リング形ネットワークシステムに関し、特に隣接する２つのノードから入力される現用及び予備パスをパススイッチによって正常回線へ切り替える機能を有するパス切替方法及び装置に関する。
【０００２】
【従来の技術】
まず、従来の技術として、ＢＬＳＲ（Ｂｉ−ｄｉｒｅｃｔｉｏｎａｌ  Ｌｉｎｅ  Ｓｗｉｔｃｈ  Ｒｉｎｇ）とＵＰＳＲ（Ｕｎｉ−ｄｉｒｅｃｔｉｏｎａｌ  Ｐｒｏｔｅｃｔｉｏｎ  Ｓｗｉｔｃｈ  Ｒｉｎｇ）とについて説明する。
【０００３】
まず、ＢＬＳＲは、Ｂｅｌｌｃｏｒｅ  ＧＥＮＥＲＩＣ  ＲＥＱＵＩＲＥＭＥＮＴＳ  ＧＲ−１２３０−ＣＯＲＥ  Ｉｓｓｕｅ  １にあるように、複数ノードを伝送路でリング状に接続したネットワークにおいて、ノード間を１本のパスで接続し、そのパスを収容する伝送路で障害があった場合に、パスルートを変更してパスを救済するリングネットワークである。図１及び図２は、２ファイバＢＬＳＲの具体例及び障害時の切替動作を示すものである。
【０００４】
図１は、Ｎｏｄｅ−Ａ〜Ｎｏｄｅ−Ｅの５つのノード８０１〜８０５が、伝送路８０６、８０７で接続され、ノード８０１からノード８０３へ、パス８０８が設定されている状態を示している。この状態で、いま、図２に示すように、ノード８０２とノード８０３との間の伝送路８０６に障害８０９が発生した場合、以下の切替が行われて、障害パスの救済が行われる。すなわち、図２において、ノード８０２とノード８０３との間の伝送路８０６に障害８０９が発生した場合、障害が発生した伝送路８０６の直前のノード８０２において全てのパスを折り返して、伝送路８０７を介して、各パスの終端ノードまで新たなパスルートが設定される。したがって、図示されているパス８０８に関しては、ノード８０２において折り返され、ノード８０３へ到達するパス８１０が設定される。これにより、ノード８０３においては伝送路の選択を伝送路８０６から伝送路８０７へ切り替えることによりパスが救済される。
【０００５】
一方、ＵＰＳＲは、Ｂｅｌｌｃｏｒｅ  ＧＥＮＥＲＩＣ  ＲＥＱＵＩＲＥＭＥＮＴＳ  ＧＲ−１４００−ＣＯＲＥ  Ｉｓｓｕｅ  １にあるように、複数ノードを伝送路でリング状に接続したネットワークにおいて、ノード間を２本のパスで接続し、一方を現用、他方を予備とするネットワークである。図３は、その一例を示すもので、図３は、反時計回りのパスを現用、時計回りのパスを予備としている例である。
【０００６】
図３で、ノード７０１からノード７０３への信号伝送について説明する。通常は、現用パス７０９と予備パス７１０の両方のパスを設定し、パス終端ノード７０３において、現用パス７０９、予備パス７１０それぞれのパスの警報検出部７１１、７１２とパス選択部７１３とを設け、現用パス７０９を選択する。図３においてノード７０１と７０２の間に障害が発生した場合、すなわち現用パス７０９に障害が発生した場合、パス終端ノード７０３の現用パス警報検出部７１１が障害を検出しパス選択部７１３に対し予備パス７１０を選択するよう制御することにより障害から復旧する。
【０００７】
また、リング間の接続構成に対する具体的なパスの切替方法については、特開平７−２１２３８２号公報「通信システム」に記載されている。これは、リング間を２つのリングノードにて相互接続する構成において、現用、予備の２つのパスを定義して、伝送システムの異常発生時に通信接続性維持することを目的とした切替方法である。特に、ＳＯＮＥＴ信号においては、ＶＴ信号と呼ばれる低速の信号を多重して、さらに上位のＳＴＳ−１信号を形成する多重フレーム構造を採用している。そのため、下位のＶＴ信号レベルで障害が発生した場合においても、ＳＴＳ−１信号に多重する過程においてこれらの障害情報が、切替を制御する上で見かけ上「正常」に見えてしまう。上記文献に示される切替方式はこの「異常」な下位レベル信号を選択する確率を低減する切替方法に関するもので、あくまでも現用パス及び予備パスの両者の障害が独立に発生する場合を対象としたものである。したがって、リング間接続構成において、ある１つの障害が、現用、予備の両者の回線に対して、同時に障害を与えるような場合についてはなんら考慮されていない。
【０００８】
【発明が解決しようとする課題】
いま、上記したＵＰＳＲとＢＬＳＲとが接続されているネットワークシステムを考える。Ｂｅｌｌｃｏｒｅ  ＧＥＮＥＲＩＣ  ＲＥＱＵＩＲＥＭＥＮＴＳ  ＧＲ−１２３０−ＣＯＲＥ  によれば、ＢＬＳＲでは伝送路障害による系切替が発生した場合、障害が発生してから系切替を実行し回線が復旧するまで５０ｍｓの時間を許容している。したがって、ＢＬＳＲからＵＰＳＲへ接続されているパスに対して最大５０ｍｓ間のパス障害が伝達される。
【０００９】
図３で説明したように、ＵＰＳＲの伝送路はリング状に構成されており、ＵＰＳＲにおいては、ＢＬＳＲと接続される関門ノードからパスの終端ノードに対して、現用と予備の２つのパスがそれぞれ逆回りに設定される。現用パスと予備パスの伝送経路の違いにより、現用と予備のパスが通過するノード数が異なることから、現用と予備のパスが通過するノード数の差の分だけ、上記パス障害が終端ノードへ到達する時間に差が生じて来る。したがって、前述した最大５０ｍｓのパス障害も関門ノードでは同時に通過するが、終端ノードでは、到達時間が異なってくることになる。
【００１０】
前述したように、パス切替は、現用パス、予備パス両者のうち常に正常パス側を選択することから、前述のケースのように障害の到達時間に短時間の差がある場合、一旦伝搬時間が長いパス側へセレクタが切り替わり、その後切り戻るという誤切替が発生する。特に、ＳＯＮＥＴ信号においては、前述したように、ＶＴ信号と呼ばれる低速のパスを多重して、さらに上位のＳＴＳ−１パスを形成する多重構造を採用しているため、複数の低速パスにおいて一斉に、前述した誤切替が発生する可能性がある。
【００１１】
通常、ＳＯＮＥＴ信号を扱う伝送装置では、パスの切替状態をソフトウェアにより監視していることから、前述したような複数のパスの誤切替が一斉に発生した場合、１つのパスについて、「切替」と「切り戻し」の２回の切り替えが起こり、切替状態監視に、非常に煩雑なソフトウェア処理が発生することになる。例えば、ＳＴＳ−３に収容されている全てのＶＴ−１．５で誤切替が発生したとすると、短時間に、８４×２＝１６８回の無駄な切替状態監視を行わなければならない。
【００１２】
本発明の目的は、ＢＬＳＲとＵＰＳＲが接続されているシステムにおけるＢＬＳＲの系切替に代表されるような現用パスと予備パスの障害が同時に発生した時の誤切替を防止することにある。
【００１３】
【課題を解決するための手段】
上記目的を達成するために、本発明は、パス選択の要因となる警報検出部において、現用パス警報検出回路と予備パス警報検出回路とに、それぞれ独立に保護タイマーを設け、選択側パスで警報を検出した場合、選択側パスの警報の発生を保護タイマーにより一定時間遅らせた警報情報と、非選択側パスで警報を検出した場合、非選択側の警報の回復を保護タイマーにより一定時間遅らせた警報情報を生成し、前記２つの保護された警報情報からそれぞれのパスの障害状態に応じてパス切替を実行するようにしたものである。
【００１４】
本発明の課題を解決する手段を列挙すれば以下の通りである。
【００１５】
本発明による一つの解決手段は、２つのリング形ネットワークが関門ノードを介して接続されており、一方のリング形ネットワークから他方のリング形ネットワークに属する終端ノードへパスが設定され、前記関門ノードから前記終端ノードへ現用パス及び予備パスがそれぞれ逆回りに設定され、上記終端ノードが前記現用パス及び予備パスからどちらか１系統のみ選択するような複合リング形ネットワークシステムにおいて、前記現用パス及び予備パスの障害をそれぞれ独立に障害情報として検出し、前記現用パス及び予備パスのうち選択されているパスの障害情報か選択されていないパスの障害情報かに応じて、前記現用パス及び予備パスのうちからいずれか一方を選択することを特徴とする複合リング形ネットワークシステムにおけるパス切替方法である。
【００１６】
上記本発明による一つの解決手段は、より具体的には、２つのリング形ネットワークが関門ノードを介して接続されており、一方のリング形ネットワークから他方のリング形ネットワークに属する終端ノードへパスが設定され、前記関門ノードから前記終端ノードへ現用パス及び予備パスがそれぞれ逆回りに設定され、上記終端ノードが前記現用パス及び予備パスからどちらか１系統のみ選択するような複合リング形ネットワークシステムにおいて、前記現用パス及び予備パスの障害をそれぞれ独立に障害情報として検出し、前記現用パス及び予備パスのうち選択されているパスの障害情報か選択されていないパスの障害情報かに応じて、選択されているパスの障害情報に対しては障害の検出時間をある一定時間遅らせるように、また、選択されていないパスの障害情報に対しては障害の回復時間をある一定時間遅らせるように、それぞれ、保護をとり、保護をとった結果の障害情報により前記現用パス及び予備パスのうちからいずれか一方を選択することを特徴とする複合リング形ネットワークシステムにおけるパス切替方法である。
【００１７】
本発明による他の解決手段は、２つのリング形ネットワークが関門ノードを介して接続されており、一方のリング形ネットワークから他方のリング形ネットワークに属する終端ノードへパスが設定され、前記関門ノードから前記終端ノードへ現用パス及び予備パスがそれぞれ逆回りに設定され、上記終端ノードが前記現用パス及び予備パスからどちらか１系統のみ選択するような複合リング形ネットワークシステムにおいて、前記終端ノードとなりうる、他方のリング形ネットワークに属する各ノード対応に、前記現用パス及び予備パスの障害をそれぞれ独立に障害情報として検出する障害情報検出手段と、前記現用パス及び予備パスのうち選択されているパスの障害情報か選択されていないパスの障害情報かを識別する障害情報パス識別手段と、前記障害情報検出手段と前記障害情報パス識別手段との検出、識別結果に応じて、前記現用パス及び予備パスのうちからいずれか一方を選択する手段とを設けたことを特徴とする複合リング形ネットワークシステムにおけるパス切替装置である。
【００１８】
上記本発明による他の解決手段は、より具体的には、２つのリング形ネットワークが関門ノードを介して接続されており、一方のリング形ネットワークから他方のリング形ネットワークに属する終端ノードへパスが設定され、前記関門ノードから前記終端ノードへ現用パス及び予備パスがそれぞれ逆回りに設定され、上記終端ノードが前記現用パス及び予備パスからどちらか１系統のみ選択するような複合リング形ネットワークシステムにおいて、前記終端ノードとなりうる、他方のリング形ネットワークに属する各ノード対応に、前記現用パス及び予備パスの障害をそれぞれ独立に障害情報として検出する障害情報検出手段と、前記現用パス及び予備パスのうち選択されているパスの障害情報か選択されていないパスの障害情報かに応じて、選択されているパスの障害情報に対しては障害の検出時間をある一定時間遅らせるように、また、選択されていないパスの障害情報に対しては障害の回復時間をある一定時間遅らせるように、それぞれ、保護をとる保護手段と、上記保護手段により保護をとった結果の障害情報により前記現用パス及び予備パスのうちからいずれか一方を選択するパス選択手段とを設けたことを特徴とする複合リング形ネットワークシステムにおけるパス切替装置である。
【００１９】
上記解決手段は主としてソフトウェアにより実現するのが有利である。。
【００２０】
また、前記ネットワークに用いる伝送方式は、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）に定めるＳＯＮＥＴ（Ｓｙｎｃｈｒｏｎｏｕｓ  Ｏｐｔｉｃａｌ  Ｎｅｔｗｏｒｋ）又はＩＴＵ−Ｔ勧告Ｇ．７０７−７０９に定めるＳＤＨ（Ｓｙｎｃｈｒｏｎｏｕｓ  Ｄｉｇｉｔａｌ  Ｈｉｅｒａｒｃｈｙ）によることができる。
【００２１】
また、前記パスに伝送される信号は、ＡＮＳＩに定めるＶＴ（ＶｉｒｔｕａｌＴｒｉｂｕｔａｒｙ）又はＩＴＵ−Ｔ勧告Ｇ．７０７−７０９に定めるＴＵ（Ｔｒｉｂｕｔａｒｙ  Ｕｎｉｔ）によることができる。
【００２２】
さらに前記パスに伝送される信号は、ＡＮＳＩに定めるＳＴＳ（Ｓｙｎｃｈｒｏｎｏｕｓ  Ｔｒａｎｓｐｏｒｔ  Ｓｉｇｎａｌ）又はＩＴＵ−Ｔ勧告Ｇ．７０７−７０９に定めるＡＵ（Ａｄｍｉｎｉｓｔｒａｔｉｖｅ  Ｕｎｉｔ）によることができる。
【００２３】
【発明の実施の形態】
以下、本発明の実施の形態を図面を用いて説明する。
【００２４】
図４ないし図６は、本発明を適用した、ＢＬＳＲとＵＰＳＲが接続されたネットワークシステムにおいて、ＢＬＳＲの系切替が起こった場合の障害伝搬を説明するためのブロック図である。図４ないし図６において、２０１〜２０５は、ＢＬＳＲのノード（Ｎｏｄｅ−Ａ〜Ｎｏｄｅ−Ｅ）、２０６〜２１１は、ＵＰＳＲのノード（Ｎｏｄｅ−ａ〜Ｎｏｄｅ−ｅ）、２１２および２１３は、ＢＬＳＲ伝送路、２１４および２１５は、ＵＰＳＲ伝送路、２１６は、ＢＬＳＲとＵＰＳＲ間を接続しているリング間接続伝送路、２１７は、ＢＬＳＲでの伝送パス、２１８は、ＵＰＳＲにおける現用パス、２１９は、ＵＰＳＲにおける予備パス、２２０および２２１は、ＵＰＳＲの各ノードにおいてパス単位でパス切替の要因となる警報を検出する警報検出部、２２２は、警報検出部２２０および２２１の警報検出結果でパスの選択を行うパス選択部である。
【００２５】
図４は、ＢＬＳＲのノード（Ｎｏｄｅ−Ａ）２０１からＵＰＳＲのノード（Ｎｏｄｅ−ｃ）２０８へパスを設定している場合を示し、ＢＬＳＲ側ではノード（Ｎｏｄｅ−Ａ）２０１からのパスは、ノード（Ｎｏｄｅ−Ｂ）２０２を経由してノード（Ｎｏｄｅ−Ｃ）２０３から、ＵＰＳＲ側のノード（Ｎｏｄｅ−ａ）２０６へのパスと、さらに、ノード（Ｎｏｄｅ−Ｃ）２０３からノード（Ｎｏｄｅ−Ｄ）２０４を経由してＵＰＳＲ側のノード（Ｎｏｄｅ−ｆ）２１１へのパスが設定されている。一方、ＵＰＳＲ側では、ノード（Ｎｏｄｅ−Ｃ）２０３からノード（Ｎｏｄｅ−ａ）２０６へ入力されたパスが現用パスとなり、ノード（Ｎｏｄｅ−ｂ）２０７を経由してノード（Ｎｏｄｅ−ｃ）２０８へ設定される。一方、ノード（Ｎｏｄｅ−Ｄ）２０４からノード（Ｎｏｄｅ−ｆ）２１１へ入力されたパスは、予備パスとなり、ノード（Ｎｏｄｅ−ｅ）２１０、ノード（Ｎｏｄｅ−ｄ）２０９を経由してノード（Ｎｏｄｅ−ｃ）２０８へ設定される。
【００２６】
いま、ノード（Ｎｏｄｅ−Ｂ）２０２とノード（Ｎｏｄｅ−Ｃ）２０３との間で伝送路障害２２４が発生した場合を図５に示す。このとき、ノード（Ｎｏｄｅ−Ｃ）２０３とノード（Ｎｏｄｅ−Ｄ）２０４とにおいて伝送路障害２２４を検出し、それぞれのノードにおいて、ノード（Ｎｏｄｅ−Ｅ）２０５から入力されるパスに切り替える。切り替え後のネットワークの状態を、図６に示す。
【００２７】
ＢＬＳＲにおいて伝送路障害２２４が発生してからパス切替が完了し、再度、パスが正常に戻るまでの時間は、Ｂｅｌｌｃｏｒｅの規定により５０ｍｓ以内と規定されていることから、最大５０ｍｓのパス障害がＵＰＳＲの現用パス２１８と予備パス２１９へ波及する。一方、ＵＰＳＲの現用パス２１８と予備パス２１９の経路が異なることによりノード（Ｎｏｄｅ−ｃ）２０８への、障害情報の到達時間に差が生じてくる。図５の例におけるノード（Ｎｏｄｅ−ｃ）２０８での到達時間差Ｔｄは、各ノードでの遅延をＴｅ、ノード間の遅延をＴｆとすると、Ｔｄ＝２（Ｔｅ＋Ｔｆ）である。
【００２８】
図７は、本発明によるパス切替装置の一実施例を示すブロック図である。図７において、１０１、１０２は入力パス、１０３は、入力パス１０１及び１０２を選択するパスセレクタ、１０４は、入力パス１０１の警報検出を行う警報検出回路、１０５は、入力パス１０２の警報検出を行う警報検出回路、１０６は、警報検出回路１０４からの警報情報をある一定時間遅らせて出力する保護タイマー、１０７は、警報検出回路１０５からの警報情報をある一定時間遅らせて出力する保護タイマーである。
【００２９】
また、１０８は、警報検出回路１０４から出力される生の警報情報と保護タイマー１０６から出力される遅延された警報情報とを、入力パス１０１が選択パスである場合には論理積演算した結果を、また入力パス１０１が非選択パスである場合には論理和演算した結果を、それぞれ、出力する警報処理回路であり、同様に、１０９は、警報検出回路１０５から出力される生の警報情報と保護タイマー１０７から出力される遅延された警報情報とを、入力パス１０２が選択パスである場合には論理積演算した結果を、また入力パス１０２が非選択パスである場合には論理和演算した結果を、それぞれ、出力する警報処理回路である。
【００３０】
さらに、１１０は、警報処理回路１０８及び１０９から入力される入力パス１０１及び１０２の警報情報から、入力パス１０１、１０２のうち正常パス側へ切り替わるようパスセレクタ１０３に対して制御信号を出力し、かつ、警報処理回路１０８、１０９に対して、入力パス１０１、１０２の選択状態、非選択状態を通知する切替制御回路である。図８は、この切替制御回路１１０の切替論理を一覧的に示すものである。
【００３１】
図７及び図８に示す本発明による切替装置の動作を、図４ないし図６にて説明した場合について詳細に説明する。
【００３２】
まず、切替装置の個別動作を説明する。いま、図９に示すような、現用パス２１８及び予備パス２１９間でＴｄの時間差を有する障害状態を示す警報が、図７の入力パス１０１及び１０２に入力されたものとする。入力パス１０１に伝搬されてきた障害は、警報検出回路１０４において警報検出されて警報処理回路１０８及び保護タイマー１０６へ警報情報として出力される。保護タイマー１０６では入力された警報情報をあらかじめ設定されたタイマー値Ｔｔだけ遅延させて警報処理回路１０８へ出力する。保護タイマー１０６のタイマー値ＴｔはＵＰＳＲシステムのノード数と各ノード間の伝送遅延差から決まる最大伝送遅延量Ｔｄｍａｘ以上に設定する。警報処理回路１０８では、警報出力回路１０４と保護タイマー１０６とから入力される警報情報を、入力パス１０１の選択状態／非選択状態によって異なる処理を施し切替制御回路１１０へ出力する。
【００３３】
警報処理回路１０８の出力を図１０に示す。図１０において、４０１は入力パス１０１の障害状態、４０２は警報検出回路１０４の出力、４０３は保護タイマー１０６の出力、４０４は入力パス１０１が選択系である場合の警報処理回路１０８の出力、４０５は入力パス１０１が非選択系である場合の警報処理回路１０８の出力である。入力パス１０１が選択系である場合、警報検出回路１０４の出力４０２と保護タイマー１０６の出力４０３の論理積の結果（図１０における４０４）が出力される。入力パス１０１が非選択系である場合、警報検出回路１０４の出力４０２と保護タイマー１０６の出力４０３の論理和の結果（図１０における４０５）が出力される。ここで説明するケースは入力パス１０１が選択系であるので、警報処理回路１０８からは図１０における４０４の信号が切替制御回路１１０へ出力される。
【００３４】
一方、入力パス１０２においても入力パス１０１側と同様の処理が行われる。つまり、入力パス１０２における障害を警報検出回路１０５において警報検出し、警報検出回路１０５からの警報情報と、その警報情報を保護タイマー１０７にてＴｔ遅延された警報情報とが警報処理回路１０９へ入力される。警報処理回路１０９からは入力パス１０２が非選択パスであることから、前記入力される２つの警報情報の論理和（図１０における４０５に相当）が切替制御回路１１０へ出力される。切替制御回路１１０では警報処理回路１０８及び１０９からの警報情報と入力パスの選択状態とから、図８に示す選択論理、つまり常に正常パス側を選択するような論理に従ってパスセレクタ１０３に対して、切替制御信号を出力する。以下、この動作を、場合分けして、図１１及び図１２により説明する。
【００３５】
まず、入力パス１０１が選択されているときに、入力パス１０１側の障害が入力パス１０２側よりもＴｄだけ早く到達した場合を図１１を用いて説明する。前記入力パス１０１上の障害５０１によって図７の警報検出回路１０４で検出された警報情報と保護タイマー１０６でさらにＴｆだけ遅延された警報情報とが、警報処理回路１０８へ入力される。いま入力パス１０１が選択系であることから前述したように前記２つの警報情報の論理積をとった結果、つまり図１１における５０３が出力される。一方、入力パス１０２上の障害５０２によって入力パス１０１側と同様に、図７の警報検出回路１０５の警報情報と保護タイマー１０７でＴｆ遅延された警報情報とが、警報処理回路１０９へ入力される。入力パス１０２側は非選択系であることから警報処理回路１０９からは前記２つの障害情報の論理和をとった結果５０４が出力される。警報処理回路１０８、１０９の出力５０３、５０４を受けた切替制御回路１１０では図８に示す選択論理に従ってパスセレクタ１０３を制御する。図８より明らかなように、入力パス１０１が選択系の場合に切替が発生するのは、入力パス１０２が正常でかつ入力パス１０１が警報状態のときのみである。本ケースの場合、図１１の５０３、５０４より切替が発生する条件に合致しないことから障害検出時においても切替は発生しない。また前述したようにＴｆはＴｄの最大値Ｔｄｍａｘ以上に設定してあることから、本ケースでは切替は起こらない。
【００３６】
次に、入力パス１０１が選択されているときに、入力パス１０１側の障害が入力パス１０２側よりもＴｄだけ遅く到達した場合を、図１２を用いて説明する。前記入力パス１０１上の障害６０１によって、前述と同様の警報処理を行い、警報処理回路１０８からは６０３が出力される。一方、入力パス１０２側も同様に警報処理回路１０９からは６０４が出力される。切替制御回路１１０では前記警報情報６０３、６０４から、図８に示す選択論理に従ってパスセレクタ１０３を制御するが、本ケースも前記ケースと同様に切替が発生する条件に合致しないことから障害検出時においても切替は発生しない。
【００３７】
【発明の効果】
以上述べたように、本発明によれば、ＢＬＳＲとＵＰＳＲが接続されているネットワークシステムにおいて、例えば、ＢＬＳＲの系切替が原因によるＵＰＳＲの現用パスと予備パスの同時障害発生のような、本来ＵＰＳＲでパス切替が起こらない事象における誤切替を防止でき、ソフトウェアの繁雑な処理が不要になる効果がある。
【図面の簡単な説明】
【図１】ＢＬＳＲの一例の正常動作時のパスルートを示す構成図である。
【図２】ＢＬＳＲの一例の障害発生時のパスルートを示す構成図である。
【図３】ＵＰＳＲの一例を示す構成図である。
【図４】ＢＬＳＲとＵＰＳＲが接続されたネットワークシステムにおける正常動作時のパスルートを示す構成図である。
【図５】ＢＬＳＲとＵＰＳＲが接続されたネットワークシステムにおける障害発生時のパスルートを示す構成図である。
【図６】ＢＬＳＲとＵＰＳＲが接続されたネットワークシステムにおける障害切替後のパスルートを示す構成図である。
【図７】本発明による切替装置のブロック構成図である。
【図８】図７における切替制御回路の切替論理を示す図表である。
【図９】ＢＬＳＲとＵＰＳＲが接続されたネットワークシステムにおける終端ノードでの障害到達時間差を示すタイムチャートである。
【図１０】図７における警報処理回路の切替動作を示すタイムチャートである。
【図１１】図７の切替装置において入力パス１０１に先に障害が到達した際の切替動作を示すタイムチャートである。
【図１２】図７の切替装置において入力パス１０２に先に障害が到達した際の切替動作を示すタイムチャートである。
【符号の説明】
１０１、１０２…入力パス、１０３…パスセレクタ、１０４、１０５…警報検出回路、１０６、１０７…保護タイマー、１０８、１０９…警報処理回路、１１０…切替処理回路、２０１〜２０５…ＢＬＳＲノード、２０６〜２１１…ＵＰＳＲノード、２１２、２１３…ＢＬＳＲ伝送路、２１４、２１５…ＵＰＳＲ伝送路、２１６…リング間伝送路、２１７…ＢＬＳＲにおける現用パス、２１８…ＵＰＳＲにおける現用パス、２１９…ＵＰＳＲにおける予備パス、２２０、２２１…ノード２０８における警報検出部、２２２…ノード２０８におけるパスセレクタ、警報検出部、２２３…ＢＬＳＲにおける迂回パス、２２４…伝送路障害、２２５…障害ありの現用パス、２２６…障害ありの予備パス、３０１…現用パス２１７の障害状態、３０２…予備パス２１８の障害状態、４０１…入力パス１０１の障害状態、４０２…警報検出回路１０４の出力、４０３…保護タイマー１０６の出力、４０４…警報処理回路１０８の出力（入力パス１０１が選択系）、４０５…警報処理回路１０８の出力（入力パス１０１が非選択系）、５０１…入力パス１０１の障害状態、５０２…入力パス１０２の障害状態、５０３…警報処理回路１０８の出力、５０４…警報処理回路１０９の出力、５０５…切替条件、５０６…選択系、６０１…入力パス１０１の障害状態、６０２…入力パス１０２の障害状態、６０３…警報処理回路１０８の出力、６０４…警報処理回路１０９の出力、６０５…切替条件、６０６…選択系、７０１〜７０６…ノード、７０７、７０８…伝送路、７０９…現用パス、７１０…予備パス、７１１、７１２…警報検出部、７１３…パス選択部、８０１〜８０５…ノード、８０６、８０７…伝送路、８０８…現用パス、８０９…伝送路障害、８１０…迂回パス
【図１】
0003581765.tif 000002
【図２】
0003581765.tif 000003
【図３】
0003581765.tif 000004
【図４】
0003581765.tif 000005
【図５】
0003581765.tif 000006
【図６】
0003581765.tif 000007
【図７】
0003581765.tif 000008
【図８】
0003581765.tif 000009
【図９】
0003581765.tif 000010
【図１０】
0003581765.tif 000011
【図１１】
0003581765.tif 000012
【図１２】
0003581765.tif 000013